(57)【要約】【課題】文字情報に対応付ける映像情報を容易に収集することを課題とする。【解決手段】情報処理装置は、文字の入力を受け付け、受け付けた文字が特徴を表す単語として含まれる、静止画像あるいは動画像である映像情報を検索する。また、情報処理装置は、複数の映像情報が検索された場合には、所定の条件に一致する映像情報を自動で選択したり、ユーザに任意の映像情報を選択させたりする。そして、情報処理装置は、受け付けた文字を識別する識別子と、検索された映像情報とを対応付けて所定の記憶部に格納する。【選択図】図２
2014074942.tif 000002
【特許請求の範囲】
【請求項１】
文字の入力を受け付ける受付ステップと、
前記受付ステップによって受け付けられた文字が特徴を表す単語として含まれる、静止画像あるいは動画像である映像情報を検索する検索ステップと、
前記受付ステップによって受け付けられた文字と、前記検索ステップによって検索された映像情報とを対応付けて記憶部に格納する格納ステップと
をコンピュータに実行させることを特徴とする情報収集プログラム。
【請求項２】
前記受付ステップは、前記文字としてハッシュタグを受け付け、
前記検索ステップは、前記受付ステップによって受け付けられたハッシュタグを検索キーとして、前記映像情報が添付された投稿情報を検索し、
前記格納ステップは、前記ハッシュタグと、前記検索ステップによって検索された投稿情報に添付される前記映像情報とを対応付けて前記記憶部に格納することを特徴とする請求項１に記載の情報収集プログラム。
【請求項３】
前記検索ステップによって検索された複数の前記映像情報をユーザに表示し、前記ユーザから少なくとも１つの前記映像情報の選択を受け付ける選択ステップをさらにコンピュータに実行させ、
前記格納ステップは、前記受付ステップによって受け付けられた文字と、前記選択ステップによって選択された映像情報とを対応付けて前記記憶部に格納することを特徴とする請求項１または２に記載の情報収集プログラム。
【請求項４】
情報処理装置で実行される情報収集方法であって、
文字の入力を受け付ける受付工程と、
前記受付工程によって受け付けられた文字が特徴を表す単語として含まれる、静止画像あるいは動画像である映像情報を検索する検索工程と、
前記受付工程によって受け付けられた文字と、前記検索工程によって検索された映像情報とを対応付けて記憶部に格納する格納制御工程と
を含んだことを特徴とする情報収集方法。
【請求項５】
文字の入力を受け付ける受付部と、
前記受付部によって受け付けられた文字が特徴を表す単語として含まれる、静止画像あるいは動画像である映像情報を検索する検索部と、
前記受付部によって受け付けられた文字と、前記検索部によって検索された映像情報とを対応付けて記憶部に格納する格納制御部と
を有することを特徴とする情報処理装置。
【発明の詳細な説明】
【技術分野】
【０００１】
本発明は、情報収集プログラム、情報収集方法および情報処理装置に関する。
【背景技術】
【０００２】
Ｗｅｂサイト上で展開されるブログやネットワークを介して配信される配信小説など、言葉で構成されたコンテンツ（以下、適宜「ことばのコンテンツ」と記載する）の内容の充実化や、「ことばのコンテンツ」の解釈を手助けすること等を目的として、言葉をビジュアル化することが行われている。
【０００３】
近年では、ユーザがインターネット等で検索した「ことばのコンテンツ」を映像化する技術も知られている。例えば、ユーザの意図、望みあるいは期待を正確に反映させて、映像化を実行する映像コンテンツ生成装置が知られている。具体的には、映像コンテンツ生成装置は、客観的、主観的、属性等のカテゴリで文字情報を解釈して映像化した映像情報と、「ことばのコンテンツ」に含まれる文字情報とを用いて、ユーザが入力した「ことばのコンテンツ」をユーザが指定するカテゴリで解釈して映像化する。
【先行技術文献】
【特許文献】
【０００４】
【特許文献１】特開２００９−２３０２５４号公報
【発明の概要】
【発明が解決しようとする課題】
【０００５】
しかしながら、文字情報に対応付ける映像情報を収集することが難しいという問題がある。
【０００６】
例えば、従来技術の映像コンテンツ生成装置では、文字情報を客観的、主観的、属性等のカテゴリで解釈した映像情報を用いる。このうち、主観的に解釈する映像情報は、ユーザ個々によって主観が異なるので、一律に生成や収集することが難しい。また、一律に生成や収集できたとしても、映像コンテンツ生成装置を使用するユーザの主観とは異なることがあり、その場合には、映像化された「ことばのコンテンツ」も当該ユーザには適さないこともある。
【０００７】
開示の技術は、上記に鑑みてなされたものであって、文字情報に対応付ける映像情報を容易に収集することができる情報収集プログラム、情報収集方法および情報処理装置を提供することを目的とする。
【課題を解決するための手段】
【０００８】
本願の開示する情報収集プログラム、情報収集方法および情報処理装置は、一つの態様において、文字の入力を受け付ける受付ステップと、前記受付ステップによって受け付けられた文字が特徴を表す単語として含まれる、静止画像あるいは動画像である映像情報を検索する検索ステップと、前記受付ステップによって受け付けられた文字と、前記検索ステップによって検索された映像情報とを対応付けて記憶部に格納する格納ステップとをコンピュータに実行させる。
【発明の効果】
【０００９】
本願の開示する情報収集プログラム、情報収集方法および情報処理装の一つの態様によれば、文字情報を主観的に解釈した映像情報を容易に収集することができるという効果を奏する。
【図面の簡単な説明】
【００１０】
【図１】図１は、第１の実施形態に係るシステムの全体構成例を示す図である。
【図２】図２は、第１の実施形態に係る情報処理装置の機能構成を示す機能ブロック図である。
【図３】図３は、言葉ＤＢに記憶される情報の例を示す図である。
【図４】図４は、映像ＤＢに記憶される情報の例を示す図である。
【図５】図５は、処理の流れを示すシーケンス図である。
【図６】図６は、検索サイトを用いた例を説明する図である。
【図７】図７は、ツイッター（登録商標）を用いた例を説明する図である。
【図８】図８は、情報収集プログラムを実行するコンピュータを示す図である。
【発明を実施するための形態】
【００１１】
以下に、本願の開示する情報収集プログラム、情報収集方法および情報処理装置の実施形態を図面に基づいて詳細に説明する。なお、この実施形態によりこの発明が限定されるものではない。
【００１２】
［第１の実施形態］
（全体構成）
図１は、第１の実施形態に係るシステムの全体構成例を示す図である。図１に示す情報処理装置１０は、「ことばのコンテンツ」を映像化する映像コンテンツ生成装置の一例である。なお、情報処理装置１０は、映像コンテンツ生成装置ではなく、映像コンテンツ生成装置に情報を提供する装置であってもよい。
【００１３】
この情報処理装置１０は、客観的、主観的、属性等のカテゴリで文字情報を解釈して映像化した映像情報と、「ことばのコンテンツ」に含まれる文字とを用いて、ユーザが入力した「ことばのコンテンツ」をユーザが指定するカテゴリで解釈して映像化する。
【００１４】
具体的には、情報処理装置１０は、文字を異なるカテゴリで解釈して解釈情報と当該文字とを対応付けた情報と、解釈情報と映像情報とを対応付けた情報とを予め記憶する。そして、情報処理装置１０は、「ことばのコンテンツ」の入力を受け付け、入力されたコンテンツをいずれのカテゴリで解釈するかを例えばユーザから受け付ける。
【００１５】
続いて、情報処理装置１０は、受け付けたことばのコンテンツに含まれる各文字について、選択されたカテゴリにしたがって、解釈情報を取得する。そして、情報処理装置１０は、取得された解釈情報に対応する映像情報を抽出する。その後、情報処理装置１０は、ことばのコンテンツ内の各文字について抽出した映像情報から、映像コンテンツを生成して出力する。このようにして、情報処理装置１０は、ユーザの意図、望みあるいは期待を正確に反映させて、ことばのコンテンツを映像化する。
【００１６】
このような状態において、情報処理装置１０は、文字の入力を受け付け、受け付けた文字が特徴を表す単語として含まれる、静止画像あるいは動画像である映像情報を検索する。そして、情報処理装置１０は、受け付けた文字を識別する識別子と、検索された映像情報とを対応付けて所定の記憶部に格納する。
【００１７】
このように、情報処理装置１０は、画像検索などの従来技術を用いてユーザが入力した文字を特徴の一部として有する画像を検索し、検索した画像と入力された文字とを対応付けることができるので、文字情報に対応付ける映像情報を容易に収集することができる。また、例えば、情報処理装置１０は、検索された画像の中からユーザに主観的に画像を選択させることもできる。こうすることで、情報処理装置１０は、ある画像を主観的に表す文字（ことば）と簡単に対応付けることができる。
【００１８】
（機能構成）
図２は、第１の実施形態に係る情報処理装置の機能構成を示す機能ブロック図である。なお、図２では、ことばのコンテンツを映像化する機能については省略する。この機能については、特開２００９−２３０２５４号公報などに開示されている処理部を用いることができる。
【００１９】
図２に示すように、情報処理装置１０は、通信制御部１１、入力部１２、表示部１３、記憶部１４、制御部１５を有する。通信制御部１１は、他の装置との通信を制御する処理部であり、例えば、ネットワークインタフェースカードなどである。例えば、通信制御部１１は、情報処理装置が映像コンテンツ生成装置の外部装置である場合に、映像コンテンツ生成装置に対して、各種データを送信する。また、通信制御部１１は、インターネット等の外部ネットワークに接続して、データの送受信を実行する。
【００２０】
入力部１２は、マウスやキーボードなどの入力装置である。この入力部１２は、表示部１３に表示される検索ワード入力エリア等に対する、文字等の入力を受け付ける。また、入力部１２は、表示部１３内の画像表示エリアに表示される複数の画像に対して画像選択を受け付ける。
【００２１】
表示部１３は、ディスプレイやタッチパネルなどの表示装置である。この表示部１３は、後述する制御部１５の各処理部から出力された情報を表示出力する。また、表示部１３は、表示する領域を検索ワード入力エリアと画像表示エリアとに分類して、情報を表示する。例えば、検索ワード入力エリアは、ユーザに検索ワード等を入力させる領域であり、画像表示エリアは、制御部１５の各処理部から出力される画像を表示する領域である。
【００２２】
記憶部１４は、言葉ＤＢ１４ａと映像ＤＢ１４ｂとを記憶する記憶部であり、例えば、ハードウェアやメモリなどの記憶装置である。また、記憶部１４は、制御部１５が実行するプログラムやデータ等を記憶する。ここで記憶される言葉ＤＢ１４ａと映像ＤＢ１４ｂとを用いて、ことばのコンテンツが映像化される。
【００２３】
言葉ＤＢ１４ａは、文字を異なるカテゴリで解釈して解釈情報を記憶するデータベースである。図３は、言葉ＤＢに記憶される情報の例を示す図である。図３に示すように、言葉ＤＢ１４ａは、「解釈カテゴリ、文字、ことばＩＤ、ビジュアル部品ＩＤ（解釈情報）」を対応付けて記憶する。
【００２４】
ここで記憶される「解釈カテゴリ」には、文字を解釈するカテゴリが設定される。「文字」には、解釈対象の文字情報が設定される。「ことばＩＤ」には、文字を識別する識別情報が設定される。「ビジュアル部品ＩＤ（解釈情報）」には、ことばを解釈カテゴリで解釈し、その解釈によって特定される映像情報が設定される。
【００２５】
図３の場合、ことばＩＤ「ＷＡ１」の文字「猫」を客観的に解釈した場合のビジュアル部品ＩＤが「ＶＡ１」と「ＶＡ２」であることを示す。また、ＶＡ１やＶＡ２に対応付けられる画像の例としては、白地に茶や黒緑の短毛猫など、一般的な猫の画像が挙げられる。
【００２６】
また、ことばＩＤ「ＷＡ１」の文字「猫」を主観的に解釈した場合のビジュアル部品ＩＤが「ＶＢ１」と「ＶＢ２」であることを示す。また、ＶＢ１に対応付けられる画像の例としては、白くて小さい猫などが挙げられる。また、ＶＢ２に対応付けられる画像の例としては、ユーザ好みのペルシャなどの猫が挙げられる。
【００２７】
また、ことばＩＤ「ＷＡ１」の文字「猫」を属性で解釈した場合のビジュアル部品ＩＤが「ＶＣ１」と「ＶＣ２」であることを示す。ＶＣ１やＶＣ２に対応付けられる画像の例としては、「ことばのコンテンツ」すなわち文書コンテンツとして入力された小説の時代背景にあわせた猫などの画像が挙げられる。
【００２８】
映像ＤＢ１４ｂは、解釈情報と映像情報とを対応付けた情報を記憶する。図４は、映像ＤＢ１４に記憶される情報の例を示す図である。図４に示すように、映像ＤＢ１４ｂは、「ことばＩＤ、ビジュアル部品ＩＤ、映像情報」を対応付けて記憶する。
【００２９】
ここで記憶される「ことばＩＤ」は、図３に示した「ことばＩＤ」に対応し、「ビジュアル部品ＩＤ」は、図３に示した「ビジュアル部品ＩＤ（解釈情報）」に対応する。「映像情報」は、記憶部１４等に保存される画像情報が設定される。つまり、図３に示した「ことばＩＤ」と「ビジュアル部品ＩＤ（解釈情報）」とによって、映像情報を一意に特定することができる。なお、図４に示したビジュアル部品ＩＤ「ＶＡ１」が、例えば白地に茶の猫の画像であり、ビジュアル部品ＩＤ「ＶＢ１」が、白くて小さい猫の画像などである。
【００３０】
制御部１５は、テキスト編集部１６、変換部１７、画像検索部１８、画像取得部１９、格納制御部２０を有する。この制御部１５は、例えばＣＰＵ（Central  Processing  Unit）などのプロセッサであり、各処理部は、プロセッサが実行する処理部である。
【００３１】
テキスト編集部１６は、入力部１２を介して受け付けられた文字やことばなどを編集する処理部である。具体的には、テキスト編集部１６は、文字等を受け付けて、表示部１３の検索ワード入力エリアに表示する。また、テキスト編集部１６は、検索ワード入力エリアに入力された文字を変換部１７に出力し、変換部１７によって漢字等に変換された場合に、変換後の文字を検索ワード入力エリアに表示する。
【００３２】
変換部１７は、テキスト編集部１６から出力された文字等を所定の形式に変換する処理部である。具体的には、変換部１７は、ユーザ等から変換形式の指定を受け付ける。そして、変換部１７は、テキスト編集部１６から出力された文字を、指定された変換形式にしたがって変換する。例えば、変換部１７は、表示部１３の検索ワード入力エリアに入力された「いぬ」を「犬」に変換する。このように変換された「犬」は、テキスト編集部１６等によって表示部１３の検索ワード入力エリアに表示される。
【００３３】
画像検索部１８は、受け付けられた文字が特徴を表す単語として含まれる複数の画像等を検索する処理部である。例えば、画像検索部１８は、変換部１７から変換後の文字を取得し、インターネットで使用できる検索サイト等を利用して、当該文字を検索キーとして画像検索を実行する。そして、画像検索部１８は、検索された各画像を表示部１３の画像表示エリアに表示させる。
【００３４】
画像取得部１９は、画像検索部１８によって検索された複数の画像の中から選択された画像を取得する。例えば、画像取得部１９は、表示部１３の画像表示エリアに表示される複数の画像の中から、ユーザの選択を受け付ける。そして、画像取得部１９は、選択された画像を保存先のサーバ等からダウンロードして、格納制御部２０に通知する。また、画像取得部１９は、ダウンロードした画像を記憶部１４等に一時的に記憶させてもよい。
【００３５】
また、画像取得部１９は、表示部１３の画像表示エリアに表示される画像から１つの画像を自動で選択することもできる。例えば、画像取得部１９は、一般的な検索サイトを用いて入力文字をキーとして画像検索を行った場合に、最も検索回数が多い画像や最初に検索される画像を選択してもよい。また、画像取得部１９は、動画の場合には、最も登場回数が多いまたは登場時間が長い動画を選択してもよい。
【００３６】
格納制御部２０は、テキスト編集部１６によって受け付けられた文字と、画像取得部１９によって取得された動画像とを対応付けて所定の記憶部に格納する処理部である。例えば、格納制御部２０は、取得された画像に一意なビジュアル部品ＩＤを付与するとともに、入力文字に一意なことばＩＤを付与する。そして、格納制御部２０は、付与したことばＩＤと、付与したビジュアル部品ＩＤと、取得された画像とを対応付けて、映像ＤＢ１４ｂに格納する。さらに、格納制御部２０は、言葉ＤＢ１４ａの解釈カテゴリ「主観」のエントリとして、入力文字と、付与したことばＩＤと、付与したビジュアル部品ＩＤとを対応付けて格納する。
【００３７】
このとき、格納制御部２０は、入力文字が既に言葉ＤＢ１４ａに格納されている場合には、既に付与されていることばＩＤと、取得された画像と、付与したビジュアル部品ＩＤとを対応付けて映像ＤＢ１４ｂに格納する。同様に、格納制御部２０は、既に付与されていることばＩＤに対応付けて、付与したビジュアル部品ＩＤを言葉ＤＢ１４ａに格納する。
【００３８】
また、入力文字を検索キーワードとして検索した画像から所望の画像をユーザに選択させたとする。この場合、ユーザに主観的に画像を選択させたことから、格納制御部２０は、当該画像および入力文字の対応付けを、言葉ＤＢ１４ａの解釈カテゴリ「主観」のエントリとして格納するようにしてもよい。
【００３９】
また、入力文字を検索キーワードとして検索した画像から自動的に画像を選択したとする。この場合、ユーザに主観には関係なく、客観的に画像を選択したことから、格納制御部２０は、当該画像および入力文字の対応付けを、言葉ＤＢ１４ａの解釈カテゴリ「客観」のエントリとして格納するようにしてもよい。
【００４０】
また、入力文字を検索キーワードとして検索した画像から自動的に画像を選択した際に、小説や図鑑などの画像を選択したとする。この場合、ユーザに主観には関係なく、また、小説などに登場する画像を選択したことから、格納制御部２０は、当該画像および入力文字の対応付けを、言葉ＤＢ１４ａの解釈カテゴリ「属性」のエントリとして格納するようにしてもよい。
【００４１】
このように、格納制御部２０は、画像が選択されたときの状況に応じて、選択された画像と入力文字との対応付けの格納先を動的に変更することができる。したがって、格納制御部２０は、言葉ＤＢ１４ａのどのエントリを増やしたいかによって選択方法を変更すればよく、言葉ＤＢ１４ａのエントリを容易に収集することができる。
【００４２】
（処理の流れ）
図５は、処理の流れを示すシーケンス図である。図５に示すように、テキスト編集部１６は、表示部１３の検索ワード入力エリアにおいて文字の入力を受け付ける（Ｓ１０１）。続いて、テキスト編集部１６は、受け付けた文字を表示部１３の検索ワード入力エリアに表示させる（Ｓ１０２）。そして、テキスト編集部１６は、受け付けた文字を変換部１７に出力する（Ｓ１０３とＳ１０４）。
【００４３】
続いて、変換部１７は、ユーザ等によって指定される変換形式にしたがって、テキスト編集部１６から受け付けた文字を変換する（Ｓ１０５）。そして、変換部１７は、変換した文字である変換文字を、テキスト編集部１６と画像検索部１８とに出力する（Ｓ１０６〜Ｓ１０８）。そして、テキスト編集部１６は、変換部１７から受け付けた変換文字を、表示部１３の検索ワード入力エリアに表示させる（Ｓ１０９）。
【００４４】
一方で、画像検索部１８は、変換部１７から変換文字を受け付け（Ｓ１１０）、受け付けた変換文字を検索キーワードとして検索サイトや検索ツールを用いて画像を検索する（Ｓ１１１）。そして、画像検索部１８は、検索された各画像を表示部１３の画像表示エリアに表示させる（Ｓ１１２とＳ１１３）。
【００４５】
続いて、画像取得部１９は、表示部１３の画像表示エリアに表示された画像の中から画像の選択を受け付け（Ｓ１１４）、受け付けた画像の情報を格納制御部２０に出力する（Ｓ１１５とＳ１１６）。このとき、画像取得部１９は、変換文字を表示部１３等から取得して、格納制御部２０に出力する。
【００４６】
そして、格納制御部２０は、変換文字に対してことばＩＤの検索と付与を実行し、ことばＩＤの付与が完了したことを画像取得部１９に出力する（Ｓ１１７とＳ１１８）。具体的には、格納制御部２０は、言葉ＤＢ１４ａから変換文字を検索する。そして、格納制御部２０は、言葉ＤＢ１４ａに変換文字が検索された場合、つまり、入力された文字が既に言葉ＤＢ１４ａに格納されている場合、検索された文字に対応付けられていることばＩＤを変換文字に付与する。一方、格納制御部２０は、言葉ＤＢ１４ａに変換文字が検索されなかった場合、つまり、入力された文字が言葉ＤＢ１４ａに格納されていない場合、一意なことばＩＤを変換文字に付与する。
【００４７】
ことばＩＤの付与が完了したことを通知された画像取得部１９は、Ｓ１１４で選択された画像をダウンロードし（Ｓ１１９）、ダウンロードが完了すると、ダウンロードした画像を格納制御部２０に出力する（Ｓ１２０）。なお、画像取得部１９は、Ｓ１１４で選択された時点でダウンロードしてもよい。ただし、画像取得部１９は、ことばＩＤの付与が完了したことの通知を受けてからダウンロードすることで、処理が途中で終了した場合に、不要な画像が記憶部１４に残ることを防止できる。この結果、記憶部１４の容量の浪費を抑制することができる。
【００４８】
その後、格納制御部２０は、画像取得部１９から通知された画像にビジュアル部品ＩＤを付与する（Ｓ１２１）。そして、格納制御部２０は、ことばＩＤとビジュアル部品ＩＤと画像とを対応付けて映像ＤＢ１４ｂに格納し、入力文字とことばＩＤとビジュアル部品ＩＤとを対応付けて言葉ＤＢ１４ａに格納する（Ｓ１２２）。
【００４９】
（具体例１）
次に、検索サイトを用いた具体例を説明する。図６は、検索サイトを用いた例を説明する図である。図６に示すように、表示部１３には、検索ワード入力エリア１３ａと、画像表示エリア１３ｂとが設けられる。
【００５０】
検索ワード入力エリア１３ａは、ユーザがことばコンテンツや画像等を検索する際に、文書の入力を受け付ける領域である。ユーザは、所望のコンテンツが画像を検索するために、当該コンテンツ等の検索ワードや文書を検索ワード入力エリア１３ａに入力して、該当するコンテンツ等をインターネット等から検索する。
【００５１】
このような状態において、テキスト編集部１６は、入力部１２を介して、表示部１３の検索ワード入力エリア１３ａへの入力として「いぬ」を受け付ける。ここで、図６において「いぬ」にアンダーラインがあるのは、入力文字が未確定の状態を示している。アンダーラインがない状態は、入力文字が確定したことを示す。
【００５２】
続いて、変換部１７は、指定されている漢字変換に基づいて、ユーザの操作等によって入力文字「いぬ」を「犬」に変換して、入力を確定する。その後、画像検索部１８は、変換された入力文字「犬」を検索キーワードとして検索サイトで画像検索を実行する。
【００５３】
この結果、図６に示すように、画像検索部１８は、「白い小さな犬」の画像と、「黒い大きな犬」の画像と、「寝ている茶色の犬」の画像とを特定して表示部１３の画像表示エリア１３ｂに表示する。
【００５４】
このように各画像を表示させた状態で、画像取得部１９は、「白い小さな犬」の画像の選択をユーザから受け付ける。すると、画像取得部１９は、「白い小さな犬」の画像をダウンロードし、格納制御部２０は、入力文字「犬」にことばＩＤ「ＷＡ２」を付与する。その後、格納制御部２０は、「白い小さな犬」の画像のビジュアル部品ＩＤ「ＶＢ３」を付与する。
【００５５】
そして、格納制御部２０は、入力文字「犬」とビジュアル部品ＩＤ「ＶＢ３」とことばＩＤ「ＷＡ２」とを対応付けて言葉ＤＢ１４ａに格納し、ことばＩＤ「ＷＡ２」とビジュアル部品ＩＤ「ＶＢ３」と「白い小さな犬」の画像とを対応付けて映像ＤＢ１４ｂに格納する。
【００５６】
（具体例２）
次に、投稿情報の一例としてツイッター（登録商標）のツイートを用いた具体例を説明する。図７は、ツイッター（登録商標）を用いた例を説明する図である。図７に示すように、表示部１３の構成は図６と同様である。
【００５７】
このような状態において、テキスト編集部１６は、入力部１２を介して、表示部１３の検索ワード入力エリア１３ａへの入力としてハッシュタグ「＃ｉｎｕ」を受け付ける。続いて、変換部１７は、入力されたハッシュタグ「＃ｉｎｕ」で入力を確定する。その後、画像検索部１８は、変換されたハッシュタグ「＃ｉｎｕ」を検索キーワードとしてツイートを検索する。
【００５８】
この結果、図７に示すように、画像検索部１８は、画像Ａが添付されたツイート「ｃｃｃ  ふむふむ  ＃ｉｎｕ」の画像を表示部１３の画像表示エリア１３ｂに表示する。続いて、画像取得部１９は、画像Ａの選択をユーザから受け付ける。すると、画像取得部１９は、画像Ａをダウンロードし、格納制御部２０は、入力文字であるハッシュタグ「＃ｉｎｕ」にことばＩＤ「ＷＡ２」を付与する。その後、格納制御部２０は、画像Ａのビジュアル部品ＩＤ「ＶＢ３」を付与する。
【００５９】
そして、格納制御部２０は、ハッシュタグ「＃ｉｎｕ」とビジュアル部品ＩＤ「ＶＢ３」とことばＩＤ「ＷＡ２」とを対応付けて言葉ＤＢ１４ａに格納し、ことばＩＤ「ＷＡ２」とビジュアル部品ＩＤ「ＶＢ３」と画像Ａとを対応付けて映像ＤＢ１４ｂに格納する。
【００６０】
なお、ハッシュタグ「＃ｉｎｕ」を検索キーワードとしてツイートを検索した場合に、画像が添付された複数のツイートが検索された場合には、画像取得部１９は、図６の具体例１と同様に、いずれかの画像を選択させてもよい。
【００６１】
（効果）
情報処理装置１０は、文字（ことば）の入力を受け付けて、受け付けた文字をキーワードとして画像を検索する。そして、情報処理装置１０は、検索された画像の中からユーザの主観で選択された画像や所定の条件で客観的に選択した画像と、入力文字とを対応付けることができる。
【００６２】
つまり、情報処理装置１０は、ことばのコンテンツを映像化する際に使用されるデータベースなど登録可能なように、文字と画像との対応付けを自動で変換および加工することができる。このように、情報処理装置１０は、文字情報を主観的に解釈した映像情報を容易に収集することができる。
【００６３】
［第２の実施形態］
さて、これまで本発明の実施形態について説明したが、本発明は上述した実施形態以外にも、種々の異なる形態にて実施されてよいものである。そこで、以下に異なる実施形態を説明する。
【００６４】
（映像情報）
上記実施形態では、情報処理装置１０が、文字（ことば）を検索キーワードとして画像を検索する例を説明したが、これに限定されるものではない。例えば、情報処理装置１０は、文字（ことば）に対応する映像情報として、画像の他にも、例えば動画像、１つ以上の静止画像の組、１つ以上の動画像を文字とを検索してユーザに表示させてもよい。このような場合、情報処理装置１０は、入力文字と、ユーザに選択された動画像などの映像情報とを対応付けて記憶部に格納する。なお、動画像については代表的な画像をユーザに表示させることもできる。
【００６５】
（システム構成等）
図示した各装置の各構成要素は機能概念的なものであり、必ずしも物理的に図示された構成要素と同一であることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６６】
また、本実施形態において説明した各処理のうち、自動的に行われるものとして説明した処理の全部または一部を手動的に行うこともできる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６７】
（プログラム）
また、上記実施形態に係る情報処理装置が実行する処理をコンピュータが実行可能な言語で記述した情報収集プログラムを作成することもできる。この場合、コンピュータが情報収集プログラムを実行することにより、上記実施形態と同様の効果を得ることができる。さらに、かかる情報収集プログラムをコンピュータ読み取り可能な記録媒体に記録して、この記録媒体に記録された情報収集プログラムをコンピュータに読み込ませて実行することにより上記実施形態と同様の処理を実現してもよい。以下に、図２等に示した情報処理装置と同様の機能を実現する情報収集プログラムを実行するコンピュータの一例を説明する。
【００６８】
図８は、情報収集プログラムを実行するコンピュータを示す図である。図８に示すように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。
【００６９】
メモリ１０１０は、ＲＯＭ（Read  Only  Memory）１０１１およびＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０３１に接続される。ディスクドライブインタフェース１０４０は、ディスクドライブ１０４１に接続される。ディスクドライブ１０４１には、例えば、磁気ディスクや光ディスク等の着脱可能な記憶媒体が挿入される。シリアルポートインタフェース１０５０には、例えば、マウス１０５１およびキーボード１０５２が接続される。ビデオアダプタ１０６０には、例えば、ディスプレイ１０６１が接続される。
【００７０】
ここで、図８に示すように、ハードディスクドライブ１０３１は、例えば、ＯＳ１０９１、アプリケーションプログラム１０９２、プログラムモジュール１０９３およびプログラムデータ１０９４を記憶する。上記実施形態で説明した各ＤＢは、例えばハードディスクドライブ１０３１やメモリ１０１０に記憶される。
【００７１】
また、情報収集プログラムは、例えば、コンピュータ１０００によって実行される指令が記述されたプログラムモジュールとして、例えばハードディスクドライブ１０３１に記憶される。具体的には、上記実施形態で説明したテキスト編集部１６と同様の情報処理を実行するテキスト編集手順と、変換部１７と同様の情報処理を実行する変換手順と、画像検索部１８と同様の情報処理を実行する画像検索手順と、画像取得部１９と同様の情報処理を実行する画像取得手順と、格納制御部２０と同様の情報処理を実行する格納制御手順とが記述されたプログラムモジュールが、ハードディスクドライブ１０３１に記憶される。
【００７２】
また、情報収集プログラムによる情報処理に用いられるデータは、プログラムデータとして、例えば、ハードディスクドライブ１０３１に記憶される。そして、ＣＰＵ１０２０が、ハードディスクドライブ１０３１に記憶されたプログラムモジュール１０９３やプログラムデータ１０９４を必要に応じてＲＡＭ１０１２に読み出して、上述した各手順を実行する。
【００７３】
なお、情報収集プログラムに係るプログラムモジュール１０９３やプログラムデータ１０９４は、ハードディスクドライブ１０３１に記憶される場合に限られず、例えば、着脱可能な記憶媒体に記憶されて、ディスクドライブ１０４１等を介してＣＰＵ１０２０によって読み出されてもよい。あるいは、情報収集プログラムに係るプログラムモジュールやプログラムデータは、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【符号の説明】
【００７４】
１０  情報処理装置
１１  通信制御部
１２  入力部
１３  表示部
１４  記憶部
１４ａ  言葉ＤＢ
１４ｂ  映像ＤＢ
１５  制御部
１６  テキスト編集部
１７  変換部
１８  画像検索部
１９  画像取得部
２０  格納制御部
１０００  コンピュータ
１０１０  メモリ
１０１１  ＲＯＭ
１０１２  ＲＡＭ
１０２０  ＣＰＵ
１０３０  ハードディスクドライブインタフェース
１０３１  ハードディスクドライブ
１０４０  ディスクドライブインタフェース
１０４１  ディスクドライブ
１０５０  シリアルポートインタフェース
１０５１  マウス
１０５２  キーボード
１０６０  ビデオアダプタ
１０６１  ディスプレイ
１０７０  ネットワークインタフェース
１０８０  バス
１０９１  ＯＳ
１０９２  アプリケーションプログラム
１０９３  プログラムモジュール
１０９４  プログラムデータ
【図１】
2014074942.tif 000003
【図２】
2014074942.tif 000004
【図３】
2014074942.tif 000005
【図４】
2014074942.tif 000006
【図５】
2014074942.tif 000007
【図６】
2014074942.tif 000008
【図７】
2014074942.tif 000009
【図８】
2014074942.tif 000010